(57)【特許請求の範囲】
【請求項１】
床を有し、壁に枠組みを有する木造建築物の内装仕上構造であって、床上に設けられる床仕上材の上方に間隙をあけて壁下地材が前記枠組みの室内側に固定され、パイロットホールを有する間隙用幅木がそのパイロットホールでビスにより前記床仕上材に固定されて前記間隙を塞ぎ、前記床仕上材を張り替えるときに、前記間隙用幅木を前記床仕上材に固定する前記ビスを取り外して、前記間隙用幅木を前記床仕上材から取り外すことにより、前記床仕上材と前記壁下地材との間の前記間隙で、前記壁下地材が邪魔にならずに前記床仕上材の張り替えが容易にできるよう前記間隙用幅木が設けられていることを特徴とする木造建築物の内装仕上構造。
【請求項２】
前記壁下地材は室内面の下部に壁用幅木が取り付けられ、前記間隙用幅木は前記壁用幅木の室内面に当接する突条と前記床仕上材に密着するパッキン材とを有することを特徴とする請求項１記載の木造建築物の内装仕上構造。
【請求項３】
床を有し、壁に枠組みを有する木造建築物の内装仕上施工方法であって、床面から上方に離して壁下地材を前記枠組みの室内側に固定する工程と、壁下地材の固定後、前記壁下地材の下方に間隙をあけて床上に床仕上材を張る工程と、パイロットホールを有する間隙用幅木をそのパイロットホールでビスにより前記床仕上材に固定して、床上に張った床仕上材と前記壁下地材との前記間隙を塞ぎ、前記床仕上材を張り替えるときに、前記間隙用幅木を前記床仕上材に固定する前記ビスを取り外して、前記間隙用幅木を前記床仕上材から取り外すことにより、前記床仕上材と前記壁下地材との間の前記間隙で、前記壁下地材が邪魔にならずに前記床仕上材の張り替えが容易にできるよう前記間隙用幅木を設ける工程とを有することを特徴とする木造建築物の内装仕上施工方法。
【発明の詳細な説明】
【０００１】
【発明の属する技術分野】
本発明は、床を有し、壁に枠組みを有する木造建築物の内装仕上構造および内装仕上施工方法に関する。
【０００２】
【従来の技術】
従来の木造建築物では、一般に、床上に床仕上材を張り、床仕上材の養生を行った後、床仕上材の上に壁下地材を載せて壁下地材を壁枠組みに固定し、壁下地材の室内面の下部に床仕上材に接するよう幅木を固定して内装仕上施工を行っている。
【０００３】
【発明が解決しようとする課題】
しかしながら、従来の木造建築物の内装仕上施工方法では、床仕上材を張った後に、壁仕上施工等の内装仕上作業を行うため、床仕上材を傷つけないよう注意しながら内装仕上作業を行う必要があり、作業の能率が上がらないうえ、注意して作業しても床仕上材を傷つけたり汚したりすることが多いという問題点があった。また、従来の内装仕上施工方法では、床仕上材の上に壁下地材が載っているため、床仕上材の張替えが難しいという問題点があった。
【０００４】
本発明は、このような従来の問題点に着目してなされたもので、内装仕上作業の能率を上げるとともに、内装仕上の仕上がりを良好にでき、また、床仕上材の張替えを容易にできる木造建築物の内装仕上構造および内装仕上施工方法を提供することを目的としている。
【０００５】
【課題を解決するための手段】
上記目的を達成するために、本発明に係る木造建築物の内装仕上構造は、床を有し、壁に枠組みを有する木造建築物の内装仕上構造であって、床上に設けられる床仕上材の上方に間隙をあけて壁下地材が前記枠組みの室内側に固定され、パイロットホールを有する間隙用幅木がそのパイロットホールでビスにより前記床仕上材に固定されて前記間隙を塞ぎ、前記床仕上材を張り替えるときに、前記間隙用幅木を前記床仕上材に固定する前記ビスを取り外して、前記間隙用幅木を前記床仕上材から取り外すことにより、前記床仕上材と前記壁下地材との間の前記間隙で、前記壁下地材が邪魔にならずに前記床仕上材の張り替えが容易にできるよう前記間隙用幅木が設けられていることを特徴とする。
【０００６】
本発明に係る木造建築物の内装仕上構造は、床面から上方に離して壁下地材を壁の枠組みに固定した後、床上に床仕上材を張り、床仕上材と壁下地材との間隙を塞ぐよう間隙用幅木を設けて施工することができる。壁仕上施工の後に床仕上材を張ることにより、壁仕上施工の際に床仕上材を傷つけないよう注意する必要がないので、作業の能率を上げるとともに、傷や汚れを付けずに床仕上の仕上がりを良好にできる。床仕上材を張り替えるときには、間隙用幅木を取り外す。床仕上材と壁下地材との間には間隙があるので、壁下地材が邪魔にならず、床仕上材の張り替えが容易にできる。
【０００７】
本発明に係る木造建築物の内装仕上構造では、前記壁下地材は室内面の下部に壁用幅木が取り付けられ、前記間隙用幅木は前記壁用幅木の室内面に当接する突条と前記床仕上材に密着するパッキン材とを有することが好ましい。
【０００８】
この場合、床仕上材の張替えがさらに容易になる。床仕上材を張り替える時期には、通常、壁にクロスや壁紙などが貼られ、クロス等の端は壁用幅木との境界に張り付いている。しかしながら、壁用幅木はそのままで間隙用幅木の取付けまたは取外しを行うことにより、クロス等を傷めずに床仕上材の張替えを行うことができる。間隙用幅木の壁用幅木に当接する突条および床仕上材に密着するパッキン材は、間隙からの隙間風を防ぐ。
【０００９】
本発明に係る木造建築物の内装仕上施工方法は、床を有し、壁に枠組みを有する木造建築物の内装仕上施工方法であって、床面から上方に離して壁下地材を前記枠組みの室内側に固定する工程と、壁下地材の固定後、前記壁下地材の下方に間隙をあけて床上に床仕上材を張る工程と、パイロットホールを有する間隙用幅木をそのパイロットホールでビスにより前記床仕上材に固定して、床上に張った床仕上材と前記壁下地材との前記間隙を塞ぎ、前記床仕上材を張り替えるときに、前記間隙用幅木を前記床仕上材に固定する前記ビスを取り外して、前記間隙用幅木を前記床仕上材から取り外すことにより、前記床仕上材と前記壁下地材との間の前記間隙で、前記壁下地材が邪魔にならずに前記床仕上材の張り替えが容易にできるよう前記間隙用幅木を設ける工程とを有することを特徴とする。
【００１０】
本発明に係る木造建築物の内装仕上施工方法では、床面から上方に離して壁下地材を固定した後、床上に床仕上材を張るため、壁仕上施工の際に床仕上材を傷つけないよう注意する必要がなく、作業の能率を上げるとともに、傷や汚れを付けずに床仕上の仕上がりを良好にできる。床上に床仕上材を張る際には、壁下地材との間に間隙があるため、床仕上材を容易に張ることができる。
【００１１】
【発明の実施の形態】
以下、図面に基づき本発明の実施の形態について説明する。
図１は、本発明の実施の形態を示している。
図１に示す内装仕上構造は、軸組工法による木造建築物で施工される。その木造建築物の構造は、床を有し、壁に枠組みを有する一般の構造である。枠組みは、受け材Ａと柱と梁とで格子状に組まれて成る。なお、「梁」の概念には桁を含み、「柱」の概念には支柱、間柱、束などを含む。内装仕上構造１は、壁下地材２と床仕上材３と壁用幅木４と間隙用幅木５とを有する。
【００１２】
床仕上材３は、床の下地面６上に張り付けられる。床仕上材３の上には、ベニヤ板、紙、塩化ビニルなどから成る養生シートが張り付けられる。壁下地材２は、石膏ボード等の板材から成る。壁下地材２は、床仕上材３の上方に間隙７をあけて枠組みの室内側に釘で固定される。壁用幅木４は、壁下地材２の下端の上方に間隔をあけてその室内面２ａの下部に取り付けられる。
【００１３】
間隙用幅木５は、上部突条５ａおよび後部突条５ｂを有し、下部にゴムパッキン材５ｃを有する。ゴムパッキン材５ｃには粘着剤が付着しており、ゴムパッキン材５ｃは粘着剤により床仕上材３に密着する。間隙用幅木５は、図２に示すように、斜めにパイロットホール５ｄを有する。間隙用幅木５は、パイロットホール５ｄでビス８により床仕上材３に固定されて、間隙７を塞ぐよう設けられる。このとき、間隙用幅木５は、背面５ｅが壁用幅木４の下方で壁下地材２の室内面２ａに当接し、上部突条５ａが壁用幅木４の室内面４ａに当接する。後部突条５ｂは、間隙７に挿入される。このとき、後部突条５ｂと壁下地材２および受け材Ａとの間には、僅かな隙間が形成される。
【００１４】
内装仕上施工の際には、まず、床の下地面６から上方に離して壁下地材２を枠組みの室内側に固定する。次に、壁下地材２の室内面２ａの下部に壁用幅木４を取り付ける。壁下地材２および壁用幅木４の固定後、壁下地材２の下方に間隙７をあけて床の下地面６の上に床仕上材３を張り、床仕上材３の上に養生シートを張る。最後に、床上に張った床仕上材３と壁下地材２との間隙７を塞ぐよう間隙用幅木５を設ける。なお、壁用幅木４は、壁下地材２を枠組みに固定する前に壁下地材２に取り付けておいてもよく、床仕上材３を張った後に壁下地材２に取り付けてもよい。
【００１５】
次に作用を説明する。
木造建築物の内装仕上構造１は、床の下地面６から上方に離して壁下地材２を壁の枠組みに固定した後、床上に床仕上材３を張り、床仕上材３と壁下地材２との間隙７を塞ぐよう間隙用幅木５を設けて施工することができる。壁仕上施工の後に床仕上材３を張ることにより、壁仕上施工の際に床仕上材３を傷つけないよう注意する必要がないので、作業の能率を上げるとともに、傷や汚れを付けずに床仕上の仕上がりを良好にできる。床上に床仕上材３を張る際には、壁下地材２との間に間隙７があるため、床仕上材３を容易に張ることができる。内装仕上がり後、壁用幅木４に当接する上部突条５ａおよび床仕上材３に密着するゴムパッキン材５ｃは、間隙７からの隙間風を防ぐ。なお、より気密性を高めるために、間隙用幅木５の背面５ｅの壁下地材２に当接する部分および上部突条５ａの壁用幅木４に当接する部分に、ゴムパッキン材５ｃを張り付けてもよい。
【００１６】
リフォームにより床仕上材３を張り替えるときには、ビス８を外し、間隙用幅木５を床仕上材３から取り外す。床仕上材３と壁下地材２との間には間隙７があるので、壁下地材２が邪魔にならず、床仕上材３の張り替えが容易にできる。床仕上材３を張り替える時期には、通常、壁にクロスや壁紙などが貼られ、クロス等の端は壁用幅木４との境界に張り付いている。しかしながら、壁用幅木４はそのままで間隙用幅木５の取付けまたは取外しを行うことにより、クロス等を傷めずに床仕上材３の張替えを行うことができる。床仕上材３を張り替えた後、間隙用幅木５を床仕上材３にビス８で固定し、間隙７を塞ぐ。
【００１７】
【発明の効果】
本発明に係る木造建築物の内装仕上構造および内装仕上施工方法は、床仕上材と壁下地材との間に間隙を有し、壁仕上施工の後に床仕上材を張ることにより、内装仕上作業の能率を上げるとともに、内装仕上の仕上がりを良好にできる。また、壁下地材が邪魔にならずに、床仕上材の張り替えが容易にできる。
【００１８】
特に、請求項２の本発明に係る木造建築物の内装仕上構造では、クロス等を傷めずに床仕上材の張替えを行うことができるとともに、壁用幅木に当接する突条および床仕上材に密着するパッキン材により、間隙からの隙間風を防ぐことができる。
【図面の簡単な説明】
【図１】本発明の実施の形態の木造建築物の内装仕上構造の断面図である。
【符号の説明】
１  内装仕上構造
２  壁下地材
３  床仕上材
４  壁用幅木
５  間隙用幅木
７  間隙
【図１】
0003790341.tif 000002